(57)【要約】【課題】光ファイバ素線を複数本集束させて細密充填配列の光ファイバンドルコードとその製造方法を提供する【解決手段】コア、クラッドからなるプラスチック光ファイバ素線を複数本集束させた光ファイババンドルコードであって、バンドル集合体の横断面形状が多角形の細密充填配列であることを特徴とするプラスチック光ファイババンドルコードおよびコア、クラッドからなるプラスチック光ファイバ素線をニップルによって複数本集束させて光ファイババンドルコードを製造する際、前記ニップルの内径の先端部分の形状を多角形にしてバンドル集合体を細密充填配列にて配置した後、該バンドル集合体の外周を樹脂被覆層で被覆させることを特徴とするプラスチック光ファイババンドルコードの製造方法。【選択図】なし【特許請求の範囲】
【請求項１】
コア、クラッドからなるプラスチック光ファイバ素線を複数本集束させた光ファイババンドルコードであって、バンドル集合体の横断面形状が多角形の細密充填配列であることを特徴とするプラスチック光ファイババンドルコード。
【請求項２】
プラスチック光ファイバの素線の径が１２５μｍから１５００μｍまでであることを特徴とする請求項１記載のプラスチック光ファイババンドルコード。
【請求項３】
コア、クラッドからなるプラスチック光ファイバ素線をニップルによって複数本集束させて光ファイババンドルコードを製造する際、前記ニップルの内径の先端部分の形状を多角形にしてバンドル集合体を細密充填配列にて配置した後、該バンドル集合体の外周を樹脂被覆層で被覆させることを特徴とするプラスチック光ファイババンドルコードの製造方法。
【請求項４】
プラスチック光ファイバの素線の径が１２５μｍから１５００μｍまでであることを特徴とする請求項３記載のプラスチック光ファイババンドルコードの製造方法。
【請求項５】
ニップルの内径の形状の多角形の１辺の長さがプラスチック光ファイバ素線を細密充填配列した場合の横断面配列長さの１．００５〜１．０５倍であることを特徴とする光ファイババンドルコードの製造方法。
【発明の詳細な説明】
【技術分野】
【０００１】
本発明は、加工性が容易で樹脂被覆層外径変動の安定性に優れたプラスチック光ファイババンドルコードおよびその製造方法に関するものである。
【背景技術】
【０００２】
従来から照明用ライトガイドとして、多数本の光ファイバを集束した光ファイバケーブルが使用されている。このような光ファイバケーブルをライトガイドとして使用する場合には、光ファイバケーブルの一方の端部を光入射端部として光源に接続し、他方の端部を光出射端部として照明領域に配置して、光源からの光を照明領域に伝送するようにしている。その場合に、プラスチック光ファイバ（以下単に「光ファイバ」という。）の素線を３本以上複数本細密充填する方法として、その内孔が丸孔である押出被覆装置を使用し、樹脂被覆を行う光ファイババンドルコードおよびその製造方法が知られている（特許文献１）。
【特許文献１】特開２００１−３２８１５２（図１）
【発明の開示】
【発明が解決しようとする課題】
【０００３】
この方法では７本の光ファイバ素線を細密充填することは可能であるが、他の場合には、細密充填ができず、配列が変わるという欠点があった。さらに他本数の場合には、細密充填配列が製造過程で変わる場合が発生し、外径変動幅が大きくなる欠点がある。
【課題を解決するための手段】
【０００４】
すなわち、本発明はコア、クラッドからなるプラスチック光ファイバ素線を複数本集束させた光ファイババンドルコードであって、バンドル集合体の横断面形状が多角形の細密充填配列であることを特徴とするプラスチック光ファイババンドルコード、およびコア、クラッドからなるプラスチック光ファイバ素線をニップルによって複数本集束させて光ファイババンドルコードを製造する際、前記ニップルの内径の先端部分の形状を多角形にしてバンドル集合体を細密充填配列にて配置した後、該バンドル集合体の外周を樹脂被覆層で被覆させることを特徴とするプラスチック光ファイババンドルコードの製造方法である。
【発明の効果】
【０００５】
本発明の光ファイババンドルコードはニップルの内径の先端部分の形状を多角形にすることで、細密充填配列の光ファイババンドルコードができる。
【発明を実施するための最良の形態】
【０００６】
本発明においてコア、クラッドからなるプラスチック光ファイバ素線としては、特に限定されないが、コアはメチルメタクリレートを主成分とすることが好ましく、クラッドとしては理論開口数、コア屈折率から算出される低屈折率のクラッド材を使用する必要があり、ヘキサフルオロプロピレン、テトラフルオロエチレン、弗化ビニリデンを含有する共重合体からなることが好ましい。
【０００７】
本発明において使用するラスチック光ファイバの素線の径は１２５μｍから１５００ｍμまでであることが好ましい。
【０００８】
本発明においては、係るプラスチック光ファイバ素線をニップルによって複数本収束させて光ファイババンドルコードを製造する。ここで使用するニップルの材質としては、超硬メッキ、  ＳＵＳ４２０Ｊ２、ＳＫＤ−１１が好ましい。使用するニップルの形状は多角形である必要がある。例えば、ニップルの先端部分を多角形にしてはめ込み式とすることも好ましい態様である。特に、ニップルの内径の形状の多角形の１辺の長さがプラスチック光ファイバ素線を細密充填配列した場合の横断面配列長さの１．００５〜１．０５倍であることが好ましい。
【０００９】
また、本発明のニップルの形状は、好ましくは、ダイス孔に向かって縮径した内周面を有するダイスと、そのダイスの内周面と所定の間隔を隔てて配置されダイス孔に向かって縮径した外周面を有する芯金とを備えた押出被覆成形機の押出部構造において、上記ダイスの先端からの距離５〜１０ｍｍの部分で上記ダイス孔後方の内周面の軸線方向からの勾配角度よりも１３°〜１５°の範囲で大きくなるようにした押出部構造を有するものであり、押出被覆成形機の一部をなしていてもよい。
【００１０】
かくして内径の先端部分の形状を多角形としてニップルにプラスチック光ファイバ素線を複数本収束させるので、プラスチック光ファイバ素線のバンドル集合体は細密充填配列にて配置される。この配列のまま、該バンドル集合体の外周を樹脂被覆層で被覆させることが重要である。
【００１１】
ここで使用する樹脂被覆層としては、特に限定されるものではなく、従来から使用されているものがいずれも採用可能であるが、特に、ポリエチレン、ポリプロピレン、ポリアミド、ポリエステル、ポリオレフィンエラストマ、ポリアミドエラストマ、ポリエステルエラストマ、架橋ポリエチレンの樹脂が好ましく適用できる。
【００１２】
図１は、本発明の光ファイババンドルコードを製造する装置の一態様の概略平面図を示す。図１において１は光ファイバＦがバンドルコードからなる光ファイバコードＣを形成する引抜き装置である。この引抜き装置１はヘッド２の先端部にダイス３を装着し、また内部にニップルホルダー４と、これに連結されたニップル５を挿入して構成されている。ニップル５の内径の先端部は図２のように台形となっている。ヘッド２には溶融樹脂供給口６が設けられ、この溶融樹脂供給口６から溶融樹脂Ｒがヘッド２内に供給されるようになっている。かくして、光ファイバＦはヘッド２に供給される溶融樹脂Ｒにより被覆され、コードＣとしてダイスから引き抜くことができる。
【００１３】
以下実施例により本発明を説明する。
【実施例１】
【００１４】
図１に示す引抜き装置を使用して、ポリメタクリレートを芯とし、フッ化ビニリデン系ポリマを鞘とする直径２６５μｍの光ファイバ素線を各１本ずつ図３の１６個丸孔細密充填配列ガイドに各１本ずつを挿入し、ニップルの内径の形状の多角形の１辺の長さがプラスチック光ファイバ素線を細密充填配列した場合の横断面配列長さの１辺が１．０３倍のニップルを用いてバンドルコードＡの製造を行った。バンドルコートＡについては図４の様に細密充填配列の乱れもなく製造できた。本発明によれば細密充填配列のバンドルコードの製造が容易になった。
【図面の簡単な説明】
【００１５】
【図１】本発明の光ファイババンドルコードを製造する引抜き装置の一例を示す概略断面図である。
【図２】図１の装置に使用されているニップルの先端部分の断面図である。
【図３】図１の装置に使用されている１６個丸孔細密充填配列ガイドの正面図である。
【図４】光ファイバの１６芯バンドルコードの断面図である。
【符号の説明】
【００１６】
１：引抜き装置
３：ダイス
５：ニップル
Ｆ：光ファイバ
Ｒ：樹脂
Ｃ：光ファイババンドルコード
【図１】
2005266403.tif 000002
【図２】
2005266403.tif 000003
【図３】
2005266403.tif 000004
【図４】
2005266403.tif 000005